(57)【要約】【課題】信号切替器を構成するスイッチ素子に対するオン・オフ制御を複数回実行する際の時間を短縮する。【解決手段】電源部５、電流検出部６、電圧測定部７、信号切替器４、サージ吸収素子８ａと接断スイッチ８ｂとを有するサージ吸収回路８、および処理部９を備え、処理部９が、スイッチ素子２１〜２３のオン・オフ状態を制御する切替処理を実行して、電源部５、電流検出部６および電圧測定部７に抵抗１１を接続すると共に抵抗１１に流れる測定用電流Ｉの電流データＤｉと抵抗１１の両端間電圧Ｖの電圧データＤｖとを取得して各データＤｉ，Ｄｖから抵抗１１の抵抗値Ｒを測定する。また処理部９は、各データＤｉ，Ｄｖの取得の完了時点から、電源部５が測定用電流Ｉの出力を停止した直後までの期間内のいずれかの時点で、接断スイッチ８ｂをオフ状態からオン状態に移行させる制御を実行して、第１端子２４ａ，２４ｂ間にサージ吸収素子８ａを接続する。【選択図】図１
2015055551.tif 000002
【特許請求の範囲】
【請求項１】
測定用電流を出力する電源部、電圧測定部、複数のスイッチ素子で構成された信号切替部、および処理部を備え、前記処理部が、前記複数のスイッチ素子のオン・オフ状態を制御する切替処理を前記信号切替部に対して実行することにより、当該信号切替部を介して前記電源部および前記電圧測定部に測定対象を接続すると共に、接続されている前記測定対象に当該電源部から前記測定用電流が供給されている状態での当該測定用電流の電流情報と前記電圧測定部によって測定される当該測定対象の両端間に発生する両端間電圧の電圧情報とを取得し、当該取得した電流情報および電圧情報に基づいて当該測定対象の物理量を測定する測定装置であって、
サージ吸収素子および接断スイッチの直列回路で構成されて、前記電源部から前記測定用電流が入力される前記信号切替部の一対の第１端子間、および前記両端間電圧を前記電圧測定部に出力する前記信号切替部の一対の第２端子間のうちの少なくとも一方の端子間に配設されたサージ吸収回路を備え、
前記処理部は、前記測定対象についての前記電流情報および前記電圧情報の取得が完了した時点から、前記電源部が前記測定用電流の出力を停止した直後までの期間内のいずれかの時点において、前記接断スイッチに対してオフ状態からオン状態に移行させる制御を実行して、前記サージ吸収回路を前記少なくとも一方の端子間に接続する測定装置。
【請求項２】
前記処理部は、前記測定対象についての前記電流情報および前記電圧情報の取得が完了した時点から、前記電源部が前記測定用電流の出力を停止する直前までの期間内のいずれかの時点において、前記接断スイッチに対してオフ状態からオン状態に移行させる制御を実行して、前記サージ吸収回路を前記少なくとも一方の端子間に接続する請求項１記載の測定装置。
【発明の詳細な説明】
【技術分野】
【０００１】
本発明は、例えば１つの電源部からの電流を複数の測定対象に切り替えて供給する信号切替器を構成する複数のスイッチ素子のオン・オフを制御する処理部を備えた測定装置に関するものである。
【背景技術】
【０００２】
この種の測定装置として、下記特許文献１に開示された測定装置が知られている。この測定装置では、信号切替部である第１切り替え部は、リレーやアナログスイッチなどのスイッチ素子で構成されて、複数の測定対象に接続される複数のプローブユニットと、測定用の電流を生成する電源部に接続されている導線とに接続されている。制御部は、第１切り替え部に対する制御を実行して第１切り替え部を構成するスイッチ素子をオン状態またはオフ状態に移行させることにより、複数のプローブユニットの１つ１つに電源部からの測定用の電流を切り替えながら供給する。
【０００３】
上記の特許文献では、明記されてはいないが、第１切り替え部を構成する各スイッチ素子にとっては、測定用の電流が流れている状態（通電状態）で、オン状態からオフ状態、またはオフ状態からオン状態に制御される所謂ホットスイッチングは好ましくない。このため、制御部は、電源部に対して測定用の電流を停止させたときに発生する逆起電力がほぼゼロになるのに要する期間の経過を待って、オン状態のスイッチ素子をオフ状態に制御すると共に、オフ状態の他のスイッチ素子をオン状態に制御している。なお、この逆起電力がほぼゼロになる期間は、測定用の電流が流れる電流経路のインダクタンス、キャパシタンスおよび純抵抗などの影響を受けて変化する。このため、第１切り替え部を構成する各スイッチ素子に対するオン・オフ制御を実行するときには、通常は、これらの期間のうちの最大のものをシミュレーションや実験などで予め求めておき、電源部に対して測定用の電流を停止させた時点から、この最大の期間よりも長い一定の期間が経過するのを待ってスイッチ素子を制御することで、ホットスイッチングを回避している。
【先行技術文献】
【特許文献】
【０００４】
【特許文献１】特開２００８−４６０６０号公報（第５−７頁、第１−２図）
【発明の概要】
【発明が解決しようとする課題】
【０００５】
ところが、上記した従来の測定装置には、以下の改善すべき課題が存在している。すなわち、この測定装置では、制御部は、信号切替器を構成するスイッチ素子を制御する都度、電源部に対して測定用の電流を停止させた時点から、上記の一定の期間が経過するのを待ってスイッチ素子を制御する必要がある。このため、信号切替器を構成するスイッチ素子に対する制御を複数回実行するときの時間が長時間化するという改善すべき課題が存在している。
【０００６】
本発明は、かかる課題を改善すべくなされたものであり、信号切替器を構成するスイッチ素子に対するオン・オフ制御を複数回実行する際の時間を短縮し得る測定装置を提供することを主目的とする。
【課題を解決するための手段】
【０００７】
上記目的を達成すべく請求項１記載の測定装置は、測定用電流を出力する電源部、電圧測定部、複数のスイッチ素子で構成された信号切替部、および処理部を備え、前記処理部が、前記複数のスイッチ素子のオン・オフ状態を制御する切替処理を前記信号切替部に対して実行することにより、当該信号切替部を介して前記電源部および前記電圧測定部に測定対象を接続すると共に、接続されている前記測定対象に当該電源部から前記測定用電流が供給されている状態での当該測定用電流の電流情報と前記電圧測定部によって測定される当該測定対象の両端間に発生する両端間電圧の電圧情報とを取得し、当該取得した電流情報および電圧情報に基づいて当該測定対象の物理量を測定する測定装置であって、サージ吸収素子および接断スイッチの直列回路で構成されて、前記電源部から前記測定用電流が入力される前記信号切替部の一対の第１端子間、および前記両端間電圧を前記電圧測定部に出力する前記信号切替部の一対の第２端子間のうちの少なくとも一方の端子間に配設されたサージ吸収回路を備え、前記処理部は、前記測定対象についての前記電流情報および前記電圧情報の取得が完了した時点から、前記電源部が前記測定用電流の出力を停止した直後までの期間内のいずれかの時点において、前記接断スイッチに対してオフ状態からオン状態に移行させる制御を実行して、前記サージ吸収回路を前記少なくとも一方の端子間に接続する。
【０００８】
また、請求項２記載の測定装置は、請求項１記載の測定装置において、前記処理部は、前記測定対象についての前記電流情報および前記電圧情報の取得が完了した時点から、前記電源部が前記測定用電流の出力を停止する直前までの期間内のいずれかの時点において、前記接断スイッチに対してオフ状態からオン状態に移行させる制御を実行して、前記サージ吸収回路を前記少なくとも一方の端子間に接続する。
【発明の効果】
【０００９】
請求項１記載の測定装置では、処理部が、接続されている測定対象についての電流情報および電圧情報の取得が完了した時点から、電源部が測定用電流の出力を停止した直後までの期間内のいずれかの時点において、接断処理を実行して、サージ吸収回路の接断スイッチに対してオフ状態からオン状態に移行させるオン・オフ制御を実行することにより、サージ吸収素子を一対の第１端子間に接続する。
【００１０】
したがって、この測定装置によれば、一対の第１端子間に接続されているサージ吸収素子が、この第１端子間にこのサージ吸収素子が接続されていない状態では測定用電流を停止させた直後から測定対象の両端間電圧に発生する逆起電力を、良好に抑制することができる。このため、この測定装置によれば、測定用電流を停止させた時点から、測定用電流の電流値がホットスイッチングのおそれのない値に低下するまでに要する時間（両端間電圧の電圧値が十分に低下するまでに要する時間）を大幅に短縮することができることから、信号切替器を構成する各スイッチ素子がホットスイッチングするという事態の発生を防止しつつ、信号切替器を構成する各スイッチ素子に対するオン・オフ制御をより短時間に実行することができる。このため、この測定装置によれば、信号切替器を構成する各スイッチ素子に対するオン・オフ制御を複数回実行する際の時間（総時間）を充分に短縮することができ、その結果として、すべての測定対象の物理量を測定するまでに要する時間を充分に短縮することができる。
【００１１】
請求項２記載の測定装置によれば、処理部が、接続されている測定対象についての電流情報および電圧情報の取得が完了した時点から、電源部が測定用電流の出力を停止する直前までの期間内のいずれかの時点において、接断処理を実行して、サージ吸収素子を一対の第１端子間に接続するため、この第１端子間に接続されているサージ吸収素子が、第１端子間にこのサージ吸収素子が接続されていない状態では測定用電流を停止させた直後から測定対象の両端間電圧に発生する逆起電力を、測定用電流の停止直後から確実に抑制することができる。このため、この測定装置によれば、測定用電流を停止させた時点から、測定用電流の電流値がホットスイッチングのおそれのない値に低下するまでに要する時間（両端間電圧の電圧値が十分に低下するまでに要する時間）をより一層短縮することができることから、信号切替器を構成する各スイッチ素子に対するオン・オフ制御をより一層短時間に実行することができる。このため、この測定装置によれば、信号切替器を構成する各スイッチ素子に対するオン・オフ制御を複数回実行する際の時間（総時間）をさらに短縮することができ、その結果として、すべての測定対象の物理量を測定するまでに要する時間を一層短縮することができる。
【図面の簡単な説明】
【００１２】
【図１】測定装置１の構成を示す構成図である。
【図２】測定装置１の動作を説明するためのタイミングチャートである。
【発明を実施するための形態】
【００１３】
以下、測定装置の実施の形態について、添付図面を参照して説明する。
【００１４】
最初に、測定装置１の構成について説明する。なお、測定装置１の一例として、測定対象の抵抗を測定する抵抗計を挙げて説明する。
【００１５】
図１に示す測定装置１は、複数の電流供給プローブ２、電流供給プローブ２と同数の電圧検出プローブ３、信号切替器４、電源部５、電流検出部６、電圧測定部７、サージ吸収回路８、処理部９および出力部１０を備え、測定対象としての複数の抵抗１１（本例では一例として、３つの抵抗１１ａ，１１ｂ，１１ｃ（以下、特に区別しないときには「抵抗１１」ともいう））の抵抗値Ｒａ，Ｒｂ，Ｒｃ（（以下、特に区別しないときには「抵抗値Ｒ」ともいう）を１つずつ測定可能に構成されている。本例では一例として、測定装置１は、各抵抗値Ｒを４端子法で測定する構成のため、各抵抗１１の各端子には、電流供給プローブ２および電圧検出プローブ３がそれぞれ接触させられている。
【００１６】
信号切替器４は、複数のスイッチ素子（本例では一例として、３つの抵抗１１の抵抗値Ｒを４端子法で測定する構成のため、１２個のスイッチ素子２１ａ，２１ｂ，２１ｃ，２１ｄ，２２ａ，２２ｂ，２２ｃ，２２ｄ，２３ａ，２３ｂ，２３ｃ，２３ｄ）で構成されている。また、信号切替器４は、電源部５、電流検出部６および電圧測定部７で構成される測定回路側と、複数の電流供給プローブ２および複数の電圧検出プローブ３で構成されるプローブ側（すなわち、電流供給プローブ２および電圧検出プローブ３が接触させられる測定対象としての抵抗１１側）との間に配設されている。
【００１７】
具体的には、信号切替器４は、一例として、一対の第１端子２４ａ，２４ｂ、一対の第２端子２５ａ，２５ｂ、および複数のプローブ用端子を備えている。また、この一対の第１端子２４ａ，２４ｂのうちの一方の第１端子２４ａが電源部５の後述する出力端子５ａに接続され、他方の第１端子２４ｂが電流検出部６を介して電源部５の後述する出力端子５ｂに接続されている。また、この一対の第２端子２５ａ，２５ｂは、電圧測定部７の後述する一対の入力端子７ａ，７ｂに接続されている。また、複数のプローブ用端子のうちの第１プローブ用端子２６ａ，２６ｂ，２６ｃ，２６ｄが抵抗１１ａに接続される電流供給プローブ２および電圧検出プローブ３に接続され、第２プローブ用端子２７ａ，２７ｂ，２７ｃ，２７ｄが抵抗１１ｂに接続される電流供給プローブ２および電圧検出プローブ３に接続され、第３プローブ用端子２８ａ，２８ｂ，２８ｃ，２８ｄが抵抗１１ｃに接続される電流供給プローブ２および電圧検出プローブ３に接続されている。
【００１８】
また、電流供給プローブ２が接続される第１プローブ用端子２６ａ、第２プローブ用端子２７ａおよび第３プローブ用端子２８ａは、対応するスイッチ素子２１ａ，２２ａ，２３ａを介して、一方の第１端子２４ａにそれぞれ接続されている。また、他の電流供給プローブ２が接続される第１プローブ用端子２６ｂ、第２プローブ用端子２７ｂおよび第３プローブ用端子２８ｂは、対応するスイッチ素子２１ｂ，２２ｂ，２３ｂを介して、他方の第１端子２４ｂにそれぞれ接続されている。
【００１９】
また、電圧検出プローブ３が接続される第１プローブ用端子２６ｃ、第２プローブ用端子２７ｃおよび第３プローブ用端子２８ｃは、対応するスイッチ素子２１ｃ，２２ｃ，２３ｃを介して、一方の第２端子２５ａにそれぞれ接続されている。また、他の電圧検出プローブ３が接続される第１プローブ用端子２６ｄ、第２プローブ用端子２７ｄおよび第３プローブ用端子２８ｄは、対応するスイッチ素子２１ｄ，２２ｄ，２３ｄを介して、他方の第２端子２５ｂにそれぞれ接続されている。
【００２０】
この構成により、信号切替器４は、スイッチ素子２１ａ，２１ｂ，２１ｃ，２１ｄ（以下、特に区別しないときには、「スイッチ素子２１」ともいう）のオン・オフ状態が処理部９によって制御されることにより、複数の抵抗１１のうちの選択された１つの抵抗１１ａを電源部５、電流検出部６および電圧測定部７に接続したり、電源部５、電流検出部６および電圧測定部７から切り離したりする。また、信号切替器４は、スイッチ素子２２ａ，２２ｂ，２２ｃ，２２ｄ（以下、特に区別しないときには、「スイッチ素子２２」ともいう）のオン・オフ状態が処理部９によって制御されることにより、複数の抵抗１１のうちの選択された１つの抵抗１１ｂを電源部５、電流検出部６および電圧測定部７に接続したり、電源部５、電流検出部６および電圧測定部７から切り離したりする。また、信号切替器４は、スイッチ素子２３ａ，２３ｂ，２３ｃ，２３ｄ（以下、特に区別しないときには、「スイッチ素子２３」ともいう）のオン・オフ状態が処理部９によって制御されることにより、複数の抵抗１１のうちの選択された１つの抵抗１１ｃを電源部５、電流検出部６および電圧測定部７に接続したり、電源部５、電流検出部６および電圧測定部７から切り離したりする。すなわち、信号切替器４は、上記の測定回路側に接続される電流供給プローブ２および電圧検出プローブ３を切り替える切替動作を実行する。
【００２１】
また、各スイッチ素子２１，２２，２３としては、機械的な可動部を有して機械的に接点を開閉させることで、信号や電流・電圧をオン・オフする有接点リレー、機械的な可動部を有さずに半導体素子で信号や電流・電圧をオン・オフする無接点リレー、並びに有接点リレーおよび無線点リレーの各長所を組み合わせたハイブリッドリレーなどの各種のリレーが使用される。
【００２２】
電源部５は、本例では一例として電流源（定電流源であっても、定電流源でなくてもよい。本例では一例として定電流源）で構成されて、処理部９によって制御されることにより、測定用電流Ｉ（本例では直流電流）を一対の出力端子５ａ，５ｂから出力したり、その出力を停止したりすることが可能に構成されている。この場合、電源部５は、出力端子５ａ側が出力端子５ｂ側に対して高電位となる状態で、測定用電流Ｉを出力する。また、電源部５は、その一方の出力端子５ａが信号切替器４の一方の第１端子２４ａに接続され、その他方の出力端子５ｂが電流検出部６を介して信号切替器４の他方の第１端子２４ｂに接続されている。
【００２３】
電流検出部６は、一例として、電源部５の他方の出力端子５ｂと信号切替器４の他方の第１端子２４ｂとの間に接続されて、測定用電流Ｉの電流値Ｉ１を測定して、この電流値Ｉ１を示す電流データＤｉ（測定用電流Ｉの電流情報）を処理部９に出力する。電圧測定部７は、一対の入力端子７ａ，７ｂが信号切替器４の第２端子２５ａ，２５ｂに接続されて、入力端子７ａ，７ｂに入力される電圧Ｖ（一対の第２端子２５ａ，２５ｂ間の電圧）の電圧値Ｖ１を測定して、この電圧値Ｖ１を示す電圧データＤｖ（後述する両端間電圧Ｖの電圧情報）を処理部９に出力する。
【００２４】
サージ吸収回路８は、サージ吸収素子８ａおよび接断スイッチ８ｂ（本例では一例としてサージ吸収素子８ａの各端子に接続された一対の接断スイッチ８ｂで構成されているが、サージ吸収素子８ａの一方の端子に１つの接断スイッチ８ｂを配設する構成でもよい）の直列回路で構成されている。また、サージ吸収回路８は、一対の接断スイッチ８ｂのうちの一方が信号切替器４の一方の第１端子２４ａに接続され、かつ一対の接断スイッチ８ｂのうちの他方が信号切替器４の他方の第１端子２４ｂに接続されることにより、一対の第１端子２４間に接続されている。また、本例では一例として、サージ吸収素子８ａは、抵抗で構成されているが、抵抗とコンデンサの直列回路であってもよい。また、サージ吸収回路８は、接断スイッチ８ｂのオン・オフ状態が処理部９によって制御されることにより、サージ吸収素子８ａが一対の第１端子２４間に接続される接続状態、およびサージ吸収素子８ａが一対の第１端子２４間から切り離される非接続状態のいずれか一方の状態に選択的に移行する。また、サージ吸収回路８に使用されている接断スイッチ８ｂは、信号切替器４に使用されている信号用のスイッチ素子２１〜２３とは異なり、耐久性の高いリレーが使用されている。このため、電圧が印加されている状態でのホットスイッチングを行ったとしても、定格の範囲内である限り、故障発生などの問題が回避される。
【００２５】
処理部９は、一例としてＣＰＵおよびメモリ（いずれも図示せず）を備えて構成されて、切替処理、接断処理、制御処理、測定処理および出力処理を実行する。この場合、切替処理では、処理部９は、信号切替器４の各スイッチ素子２１，２２，２３に対するオン・オフ制御を実行することで、測定回路側に接続される電流供給プローブ２および電圧検出プローブ３を切り替える切替動作を信号切替器４に実行させる。また、接断処理では、処理部９は、サージ吸収回路８の接断スイッチ８ｂに対するオン・オフ制御を実行することにより、サージ吸収回路８を接続状態および非接続状態のいずれか一方の状態に移行させる。また、制御処理では、処理部９は、電源部５に対する制御を実行することにより、電源部５から信号切替器４への測定用電流Ｉの出力・出力の停止を実行させる。
【００２６】
また、測定処理では、処理部９は、電流検出部６から出力される電流データＤｉと電圧測定部７から出力される電圧データＤｖとを取得し、この取得した電流データＤｉに基づいて測定用電流Ｉの電流値Ｉ１を算出（測定）すると共に、この取得した電圧データＤｖに基づいて入力端子７ａ，７ｂに入力される電圧Ｖ（一対の第２端子２５ａ，２５ｂ間の電圧）の電圧値Ｖ１を算出（測定）し、さらに、算出した電流値Ｉ１および電圧値Ｖ１に基づいて、信号切替器４、電流供給プローブ２および電圧検出プローブ３を介して接続されている抵抗１１の抵抗値Ｒを算出する。
【００２７】
また、メモリには、測定用電流Ｉの電流値Ｉ１と比較するための電流しきい値Ｉｔｈおよび基準電流値Ｉｒｅｆが予め記憶されている。この場合、この電流しきい値Ｉｔｈは、測定用電流Ｉの電流値Ｉ１がこれ以下の状態であれば、信号切替器４に切替動作を実行させたとしても、信号切替器４を構成する各スイッチ素子２１，２２，２３に悪影響を与えない（ホットスイッチングとはならない）電流値である。また、この基準電流値Ｉｒｅｆは、測定用電流Ｉの電流値Ｉ１がこれ以上の状態であれば、十分な精度で抵抗値Ｒを算出し得る電流値である。
【００２８】
また、出力処理では、処理部９は、測定した各抵抗１１の抵抗値Ｒを出力部１０に出力する。本例では後述するように、抵抗値Ｒを出力部１０の画面上に表示させる。
【００２９】
出力部１０は、例えば、ＬＣＤなどの表示装置で構成されて、処理部９から出力された抵抗値Ｒを画面上に表示させる。なお、出力部１０は、表示装置に代えて外部インターフェース回路で構成して、この回路に伝送路を介して接続された外部機器に抵抗値Ｒを送出したり、またこの回路に接続された外部メモリに抵抗値Ｒを記憶させたりするようにしてもよいのは勿論である。
【００３０】
次に、測定装置１の動作について図面を参照して説明する。なお、図１に示すように、各抵抗１１の各端子には、電流供給プローブ２および電圧検出プローブ３がそれぞれ接触させられているものとする。
【００３１】
まず、測定装置１では、処理部９が、図２に示すように、電源部５に対する制御処理を実行して、測定用電流Ｉの出力を停止させ、次いで、信号切替器４に対する切替処理を実行して、各スイッチ素子２１をオン状態に移行させると共に、他のスイッチ素子２２，２３をすべてオフ状態に移行させることで、最初に測定対象とする抵抗１１ａに接触させられている２本の電流供給プローブ２および２本の電圧検出プローブ３を電源部５および電圧測定部７に接続する。また、処理部９は、接断処理を実行して、サージ吸収回路８の接断スイッチ８ｂをオフ状態に移行させることにより、サージ吸収回路８を非接続状態に移行させて、信号切替器４の一対の第１端子２４ａ，２４ｂ間からサージ吸収素子８ａを切り離す。
【００３２】
続いて、処理部９は、電源部５に対する制御処理を実行して、測定用電流Ｉの出力を開始させると共に、電流検出部６から取得した電流データＤｉに基づいて測定用電流Ｉの電流値Ｉ１を算出（測定）しつつ、算出している電流値Ｉ１が基準電流値Ｉｒｅｆ以上の期間において測定処理を実行する。なお、上記したように、電源部５に接続されている信号切替器４の一対の第１端子２４ａ，２４ｂ間からサージ吸収素子８ａが切り離されているため、測定用電流Ｉは、サージ吸収素子８ａに流れることなく、すべて信号切替器４に供給される。
【００３３】
この場合、信号切替器４では、各スイッチ素子２１がをオン状態に移行しているため、測定対象の抵抗１１ａの一方の端子に接続されている電流供給プローブ２は、スイッチ素子２１ａおよび第１端子２４ａを介して、電源部５の出力端子５ａに接続され、測定対象の抵抗１１ａの他方の端子に接続されている電流供給プローブ２は、スイッチ素子２１ｂおよび第１端子２４ｂを介して、電流検出部６、さらには電源部５の出力端子５ｂに接続されている。また、測定対象の抵抗１１ａの一方の端子に接続されている電圧検出プローブ３は、スイッチ素子２１ｃおよび第２端子２５ａを介して、電圧測定部７の入力端子７ａに接続され、測定対象の抵抗１１ａの他方の端子に接続されている電圧検出プローブ３は、スイッチ素子２１ｄおよび第２端子２５ｂを介して、電圧測定部７の入力端子７ｂに接続されている。
【００３４】
したがって、電圧測定部７は、電源部５から測定用電流Ｉが供給されている状態において抵抗１１ａの両端間に発生する両端間電圧を電圧Ｖとして（以下、「両端間電圧Ｖ」ともいう）、一対の入力端子７ａ，７ｂから入力して、その電圧値Ｖ１を示す電圧データＤｖを処理部９に出力する。これにより、処理部９は、測定処理を実行することにより、電流検出部６から出力されている電流データＤｉおよび電圧測定部７から出力されている電圧データＤｖを取得すると共に、この取得した電流データＤｉおよび電圧データＤｖに基づいて測定用電流Ｉの電流値Ｉ１および両端間電圧Ｖの電圧値Ｖ１を算出し、次いで、この算出した電流値Ｉ１および電圧値Ｖ１に基づいて抵抗１１ａの抵抗値Ｒａを算出すると共に、算出した抵抗値Ｒａを抵抗１１ａに対応させてメモリに記憶する。これにより、抵抗１１ａについての測定処理が完了する。
【００３５】
次いで、処理部９は、最初の抵抗１１ａに対する測定処理において電流検出部６からの電流データＤｉと電圧測定部７からの電圧データＤｖとを取得し終えた後（本例では一例として、最初の抵抗１１ａに対する測定処理が完了した後）の時刻ｔａ（図２参照）において、電源部５に対する制御処理を実行して、測定用電流Ｉの出力を停止させる。また、処理部９は、この測定処理において電流検出部６からの電流データＤｉと電圧測定部７からの電圧データＤｖとを取得し終えた時点（電流データＤｉおよび電圧データＤｖの取得が完了した時点）から測定用電流Ｉを停止させた直後（時刻ｔａの直後）までの期間Ｔ１（図２参照）内のいずれかの時点において、接断処理を実行して、サージ吸収回路８の接断スイッチ８ｂをオフ状態からオン状態に移行させることにより、サージ吸収回路８を接続状態に移行させて、信号切替器４の一対の第１端子２４ａ，２４ｂ間にサージ吸収素子８ａを接続する。
【００３６】
本例では一例として、処理部９は、この測定処理が完了した時点から測定用電流Ｉを停止させる直前までの期間Ｔ２（＜Ｔ）内のいずれかの時点において、サージ吸収回路８の接断スイッチ８ｂをオフ状態からオン状態に移行させる。なお、測定用電流Ｉを停止させた直後に接断処理を実行して、サージ吸収回路８のサージ吸収素子８ａを一対の第１端子２４ａ，２４ｂ間に接続した場合であっても、両端間電圧Ｖに発生している逆起電力を途中から減衰させることができるが、本例のように、測定用電流Ｉを停止させる直前までにサージ吸収素子８ａを一対の第１端子２４ａ，２４ｂ間に接続しておいたときには、測定用電流Ｉを停止させた直後から両端間電圧Ｖに発生しようとする逆起電力を、発生しようとする当初から確実に抑制することが可能になり、より好ましい。
【００３７】
これにより、第１端子２４ａ，２４ｂ間にサージ吸収素子８ａが接続されていない状態では、図２において破線で示すように、測定用電流Ｉを停止させた直後（時刻ｔａの直後）から抵抗１１ａの両端間電圧Ｖに逆起電力が発生するのに対して、この測定装置１では、第１端子２４ａ，２４ｂ間に接続されている（具体的には、第１端子２４ａ、スイッチ素子２１ａ、第１プローブ用端子２６ａおよび電流供給プローブ２と、第１端子２４ｂ、スイッチ素子２１ｂ、第１プローブ用端子２６ｂおよび電流供給プローブ２とを介して抵抗１１ａの両端間に接続されている）サージ吸収素子８ａが、図２において実線で示すように逆起電力の発生を測定用電流Ｉの停止直後から良好に抑制する。このため、この測定装置１では、測定用電流Ｉを停止させた時点（時刻ｔａ）から、測定用電流Ｉの電流値Ｉ１が電流しきい値Ｉｔｈ以下に低下するまでに要する時間（言い替えれば、両端間電圧Ｖの電圧値Ｖ１が十分に低下するまでに要する時間）が大幅に短縮されている。
【００３８】
この場合、電源部５に信号切替器４を介して接続されている電流供給プローブ２および電圧検出プローブ３の引き回しの具合（配線のインピーダンスや寄生容量の大きさ）や、抵抗１１の抵抗値Ｒに応じて、両端間電圧Ｖに生じる逆起電力の大きさがまちまちであるため、サージ吸収素子８ａによる逆起電力の抑制の度合いも、上記の電流供給プローブ２等の引き回しの具合や抵抗１１の抵抗値Ｒに応じてまちまちである。すなわち、サージ吸収素子８ａによる逆起電力の抑制の度合いは、電源部５や電圧測定部７に測定対象として接続されている抵抗１１毎にまちまちである。
【００３９】
このため、処理部９は、電源部５に対して測定用電流Ｉの出力を停止させた直後から、電流検出部６から取得した電流データＤｉに基づいて測定用電流Ｉの電流値Ｉ１を算出しつつ、算出した電流値Ｉ１と電流しきい値Ｉｔｈと比較する処理を実行して、算出した電流値Ｉ１が電流しきい値Ｉｔｈ以下になるタイミングを検出する。
【００４０】
処理部９は、このタイミングを検出したときには、信号切替器４に対する切替処理を実行して、測定対象としていた抵抗１１ａを電源部５、電流検出部６および電圧測定部７から切り離すと共に、次に測定対象とする抵抗１１ｂを、電流供給プローブ２および電圧検出プローブ３と、信号切替器４とを介して電源部５、電流検出部６および電圧測定部７に接続する。
【００４１】
このように、この測定装置１では、処理部９が、実際に信号切替器４に流れている測定用電流Ｉの電流値Ｉ１を検出しつつ、この電流値Ｉ１が確実に電流しきい値Ｉｔｈ以下になったことを検出したときに、信号切替器４に対する切替処理を実行する。このため、この測定装置１では、信号切替器４を構成する各スイッチ素子２１，２２，２３がホットスイッチングするという事態の発生を確実に防止することが可能になっている。
【００４２】
例えば、図２に示すように、電流値Ｉ１が電流しきい値Ｉｔｈまで低下したとき（最初の抵抗１１ａへの測定用電流Ｉの出力を停止させた時点（時刻ｔａ）から時間ｔａ１を経過した時点）に、処理部９は、このタイミングを検出して、ホットスイッチングを回避しつつ、信号切替器４に対する切替処理を実行する。この切替処理では、処理部９は、各スイッチ素子２２をオン状態に移行させると共に、他のスイッチ素子２１，２３をすべてオフ状態に移行させることで、最初に測定対象とした抵抗１１ａに接触させられている２本の電流供給プローブ２および２本の電圧検出プローブ３に代えて、２番目に測定対象とする抵抗１１ｂに接触させられている２本の電流供給プローブ２および２本の電圧検出プローブ３を電源部５、電流検出部６および電圧測定部７に接続する。
【００４３】
また、処理部９は、電流値Ｉ１が電流しきい値Ｉｔｈまで低下した上記のタイミングを検出したときから、測定用電流Ｉの次の出力を開始させるまでの期間Ｔ３内のいずれかの時点において、接断処理を実行して、サージ吸収回路８の接断スイッチ８ｂをオン状態からオフ状態に移行させることにより、サージ吸収回路８を非接続状態に移行させて、信号切替器４の一対の第１端子２４ａ，２４ｂからサージ吸収素子８ａを切り離す。本例では一例として、処理部９は、信号切替器４に対する切替処理と共に接断処理を実行して、サージ吸収素子８ａを切り離す。
【００４４】
続いて、処理部９は、電源部５に対する制御処理を実行して、測定用電流Ｉの出力を開始させる。この場合、上記したように、信号切替器４の一対の第１端子２４ａ，２４ｂからサージ吸収素子８ａが切り離されているため、電源部５から出力される測定用電流Ｉのサージ吸収回路８への流入が防止されて、測定用電流Ｉはすべて信号切替器４に供給されている。処理部９は、この状態において、電流検出部６から取得した電流データＤｉに基づいて測定用電流Ｉの電流値Ｉ１を算出（測定）しつつ、算出している電流値Ｉ１が基準電流値Ｉｒｅｆ以上の期間において測定処理を実行して、抵抗値Ｒｂを算出し、算出した抵抗値Ｒｂを抵抗１１ｂに対応させてメモリに記憶する。これにより、抵抗１１ｂについての測定処理が完了する。
【００４５】
次いで、処理部９は、２番目の抵抗１１ｂに対する測定処理において電流検出部６からの電流データＤｉと電圧測定部７からの電圧データＤｖとを取得し終えた後（本例では一例として、最初の抵抗１１ｂに対する測定処理が完了した後）の時刻ｔｂ（図２参照）において、電源部５に対する制御処理を実行して、測定用電流Ｉの出力を停止させる。また、処理部９は、この測定処理において電流検出部６からの電流データＤｉと電圧測定部７からの電圧データＤｖとを取得し終えた時点から測定用電流Ｉを停止させた直後（時刻ｔｂの直後）までの期間Ｔ１（図２参照）内のいずれかの時点において、接断処理を実行して、サージ吸収回路８の接断スイッチ８ｂをオフ状態からオン状態に移行させることにより、サージ吸収回路８を接続状態に移行させて、信号切替器４の一対の第１端子２４ａ，２４ｂ間にサージ吸収素子８ａを接続する。
【００４６】
本例では一例として、処理部９は、測定処理が完了した時点から測定用電流Ｉを停止させる直前までの期間Ｔ２（＜Ｔ１）内のいずれかの時点において、サージ吸収回路８の接断スイッチ８ｂをオフ状態からオン状態に移行させる。
【００４７】
これにより、この測定装置１では、抵抗１１ａを測定対象としたときと同様にして、抵抗１１ｂを測定対象としたときにおいても、図２において破線で示すような逆起電力が両端間電圧Ｖに発生するのを抑制でき、これにより、測定用電流Ｉを停止させた時点（時刻ｔｂ）から、測定用電流Ｉの電流値Ｉ１が電流しきい値Ｉｔｈ以下に低下するまでに要する時間（両端間電圧Ｖの電圧値Ｖ１が十分に低下するまでに要する時間）が大幅に短縮されている。
【００４８】
また、処理部９は、電源部５に対して測定用電流Ｉの出力を停止させた直後から、電流検出部６から取得した電流データＤｉに基づいて測定用電流Ｉの電流値Ｉ１を算出しつつ、算出した電流値Ｉ１と電流しきい値Ｉｔｈと比較する処理を実行して、算出した電流値Ｉ１が電流しきい値Ｉｔｈ以下になるタイミングを検出する。処理部９は、このタイミングを検出したときには、信号切替器４に対する切替処理を実行して、測定対象としていた抵抗１１ｂを電源部５、電流検出部６および電圧測定部７から切り離すと共に、次に測定対象とする抵抗１１ｃを、電流供給プローブ２および電圧検出プローブ３と、信号切替器４とを介して電源部５、電流検出部６および電圧測定部７に接続する。
【００４９】
例えば、図２に示すように、電流値Ｉ１が電流しきい値Ｉｔｈまで低下したとき（２番目の抵抗１１ｂへの測定用電流Ｉの出力を停止させた時点（時刻ｔｂ）から時間ｔａ２を経過した時点。一例として、ｔａ２＜ｔａ１）に、処理部９は、このタイミングを検出して、信号切替器４に対する切替処理を実行する。この切替処理では、処理部９は、各スイッチ素子２３をオン状態に移行させると共に、他のスイッチ素子２１，２２をすべてオフ状態に移行させることで、２番目に測定対象とした抵抗１１ｂに接触させられている２本の電流供給プローブ２および２本の電圧検出プローブ３に代えて、３番目に測定対象とする抵抗１１ｃに接触させられている２本の電流供給プローブ２および２本の電圧検出プローブ３を電源部５、電流検出部６および電圧測定部７に接続する。
【００５０】
また、処理部９は、電流値Ｉ１が電流しきい値Ｉｔｈまで低下した上記のタイミングを検出したときから、測定用電流Ｉの次の出力を開始させるまでの期間Ｔ３内のいずれかの時点において、接断処理を実行して、サージ吸収回路８の接断スイッチ８ｂをオン状態からオフ状態に移行させることにより、サージ吸収回路８を非接続状態に移行させて、信号切替器４の一対の第１端子２４ａ，２４ｂからサージ吸収素子８ａを切り離す。
【００５１】
続いて、処理部９は、電源部５に対する制御処理を実行して、測定用電流Ｉの出力を開始させると共に、電流検出部６から取得した電流データＤｉに基づいて測定用電流Ｉの電流値Ｉ１を算出（測定）しつつ、算出している電流値Ｉ１が基準電流値Ｉｒｅｆ以上の期間において測定処理を実行して、抵抗値Ｒｃを算出し、算出した抵抗値Ｒｃを抵抗１１ｃに対応させてメモリに記憶する。これにより、抵抗１１ｃについての測定処理が完了する。
【００５２】
処理部９は、３番目の抵抗１１ｃに対する測定処理において電流検出部６からの電流データＤｉと電圧測定部７からの電圧データＤｖとを取得し終えた後（本例では一例として、最初の抵抗１１ｃに対する測定処理が完了した後）の時刻ｔｃ（図２参照）において、電源部５に対する制御処理を実行して、測定用電流Ｉの出力を停止させる。また、処理部９は、この測定処理において電流検出部６からの電流データＤｉと電圧測定部７からの電圧データＤｖとを取得し終えた時点から測定用電流Ｉを停止させた直後（時刻ｔｃの直後）までの期間Ｔ１（図２参照）内のいずれかの時点において、接断処理を実行して、サージ吸収回路８の接断スイッチ８ｂをオフ状態からオン状態に移行させることにより、サージ吸収回路８を接続状態に移行させて、信号切替器４の一対の第１端子２４ａ，２４ｂ間にサージ吸収素子８ａを接続する。
【００５３】
本例では一例として、処理部９は、測定処理が完了した時点から測定用電流Ｉを停止させる直前までの期間Ｔ２（＜Ｔ１）内のいずれかの時点において、サージ吸収回路８の接断スイッチ８ｂをオフ状態からオン状態に移行させる。
【００５４】
これにより、この測定装置１では、抵抗１１ａを測定対象としたときと同様にして、抵抗１１ｃを測定対象としたときにおいても、図２において破線で示すような逆起電力が両端間電圧Ｖに発生するのを抑制でき、これにより、測定用電流Ｉを停止させた時点（時刻ｔｃ）から、測定用電流Ｉの電流値Ｉ１が電流しきい値Ｉｔｈ以下に低下するまでに要する時間（両端間電圧Ｖの電圧値Ｖ１が十分に低下するまでに要する時間）が大幅に短縮されている。
【００５５】
また、処理部９は、電源部５に対して測定用電流Ｉの出力を停止させた直後から、電流検出部６から取得した電流データＤｉに基づいて測定用電流Ｉの電流値Ｉ１を算出しつつ、算出した電流値Ｉ１と電流しきい値Ｉｔｈと比較する処理を実行して、算出した電流値Ｉ１が電流しきい値Ｉｔｈ以下になるタイミングを検出する。処理部９は、このタイミングを検出したときには、信号切替器４に対する切替処理を実行して、スイッチ素子２１，２２，２３をすべてオフ状態に移行させることで、抵抗１１ａ，１１ｂ，１１ｃに接触させられているすべての電流供給プローブ２および電圧検出プローブ３を電源部５、電流検出部６および電圧測定部７から切り離す。
【００５６】
例えば、図２に示すように、電流値Ｉ１が電流しきい値Ｉｔｈまで低下したとき（３番目の抵抗１１ｃへの測定用電流Ｉの出力を停止させた時点（時刻ｔｃ）から時間ｔａ３を経過した時点。一例として、ｔａ２＜ｔａ３＜ｔａ１）に、処理部９は、このタイミングを検出して、信号切替器４に対する切替処理を実行して、スイッチ素子２１，２２，２３をすべてオフ状態に移行させることで、すべての電流供給プローブ２および電圧検出プローブ３を電源部５、電流検出部６および電圧測定部７から切り離す。
【００５７】
また、処理部９は、電流値Ｉ１が電流しきい値Ｉｔｈまで低下した上記のタイミングを検出した後に、接断処理を実行して、サージ吸収回路８の接断スイッチ８ｂをオン状態からオフ状態に移行させることにより、サージ吸収回路８を非接続状態に移行させて、信号切替器４の一対の第１端子２４ａ，２４ｂからサージ吸収素子８ａを切り離す。
【００５８】
最後に、処理部９は、出力処理を実行することにより、測定した抵抗１１ａ，１１ｂ，１１ｃの各抵抗値Ｒａ，Ｒｂ，Ｒｃをメモリから読み出すと共に出力部１０に出力して、出力部１０の画面上に各抵抗値Ｒ（Ｒａ，Ｒｂ，Ｒｃ）を表示させる。これにより、すべての抵抗１１ａ，１１ｂ，１１ｃについての抵抗測定が完了する。
【００５９】
この測定装置１では、処理部９が、測定対象としている１つの抵抗１１についての電流データＤｉおよび電圧データＤｖの取得が完了した時点から、電源部５が測定用電流Ｉの出力を停止した直後までの期間Ｔ１内のいずれかの時点において、接断処理を実行して、サージ吸収回路８の接断スイッチ８ｂに対してオフ状態からオン状態に移行させるオン・オフ制御を実行することにより、サージ吸収回路８（具体的にはそのサージ吸収素子８ａ）を一対の第１端子２４ａ，２４ｂ間に接続する。
【００６０】
したがって、この測定装置１によれば、第１端子２４ａ，２４ｂ間に接続されているサージ吸収素子８ａが、第１端子２４ａ，２４ｂ間にこのサージ吸収素子８ａが接続されていない状態では測定用電流Ｉを停止させた直後から抵抗１１ａの両端間電圧Ｖに発生する逆起電力を、良好に抑制することができる。このため、この測定装置１によれば、測定用電流Ｉを停止させた時点から、測定用電流Ｉの電流値Ｉ１が電流しきい値Ｉｔｈ以下（ホットスイッチングのおそれのない値）に低下するまでに要する時間（両端間電圧Ｖの電圧値Ｖ１が十分に低下するまでに要する時間）を大幅に短縮することができることから、上記したように、測定用電流Ｉの電流値Ｉ１が電流しきい値Ｉｔｈ以下になったときに信号切替器４に対する切替処理を実行することで、信号切替器４を構成する各スイッチ素子２１，２２，２３がホットスイッチングする（電流しきい値Ｉｔｈを超える電流値Ｉ１の測定用電流Ｉが流れている状態（通電状態）でオン・オフ状態が切り替えられる）という事態の発生を防止しつつ、信号切替器４を構成する各スイッチ素子２１，２２，２３に対するオン・オフ制御をより短時間に実行することができる。これにより、この測定装置１によれば、信号切替器４を構成するスイッチ素子２１，２２，２３に対するオン・オフ制御を複数回実行する際の時間（総時間）を充分に短縮することができ、その結果として、すべての抵抗１１の抵抗値Ｒを算出するまでに要する時間を充分に短縮することができる。
【００６１】
また、この測定装置１では、処理部９が、測定対象としている１つの抵抗１１についての電流データＤｉおよび電圧データＤｖの取得が完了した時点から、電源部５が測定用電流Ｉの出力を停止する直前までの期間Ｔ２内のいずれかの時点において、接断処理を実行して、サージ吸収回路８の接断スイッチ８ｂに対してオフ状態からオン状態に移行させるオン・オフ制御を実行することにより、サージ吸収回路８（具体的にはそのサージ吸収素子８ａ）を一対の第１端子２４ａ，２４ｂ間に接続する。
【００６２】
したがって、この測定装置１によれば、第１端子２４ａ，２４ｂ間に接続されているサージ吸収素子８ａが、第１端子２４ａ，２４ｂ間にこのサージ吸収素子８ａが接続されていない状態では測定用電流Ｉを停止させた直後から抵抗１１ａの両端間電圧Ｖに発生する逆起電力を、測定用電流Ｉの停止直後から確実に抑制することができる。このため、この測定装置１によれば、測定用電流Ｉを停止させた時点から、測定用電流Ｉの電流値Ｉ１が電流しきい値Ｉｔｈ以下に低下するまでに要する時間（両端間電圧Ｖの電圧値Ｖ１が十分に低下するまでに要する時間）をより一層短縮することができることから、信号切替器４を構成する各スイッチ素子２１，２２，２３に対するオン・オフ制御をより一層短時間に実行することができ、これにより、信号切替器４を構成するスイッチ素子２１，２２，２３に対するオン・オフ制御を複数回実行する際の時間（総時間）をさらに短縮することができることから、すべての抵抗１１の抵抗値Ｒを算出するまでに要する時間を一層短縮することができる。
【００６３】
なお、上記の例では、処理部９が、測定用電流Ｉの電流値Ｉ１が電流しきい値Ｉｔｈ以下になったことを検出したときに、信号切替器４に対する切替処理を実行する構成を採用しているが、測定用電流Ｉの電流値Ｉ１に対する電流しきい値Ｉｔｈと同様の両端間電圧Ｖの電圧値Ｖ１に対する電圧しきい値Ｖｔｈ（両端間電圧Ｖの電圧値Ｖ１が電圧しきい値Ｖｔｈのときに信号切替器４に切替動作を実行させたとしても、信号切替器４を構成する各スイッチ素子２１，２２，２３に悪影響を与えない（ホットスイッチングとはならない）電圧値。図２参照）を予め実験等で求めて処理部９のメモリに記憶させておき、処理部９が、両端間電圧Ｖの電圧値Ｖ１が電圧しきい値Ｖｔｈ以下になったことを検出したときに、信号切替器４に対する切替処理を実行する構成を採用することもできる。
【００６４】
この場合、電圧しきい値Ｖｔｈを適宜設定することにより、電圧値Ｖ１が電圧しきい値Ｖｔｈ以下になるタイミングを、測定用電流Ｉの電流値Ｉ１が電流しきい値Ｉｔｈ以下になるタイミングとほぼ同じタイミングにすることが可能である。したがって、この電圧しきい値Ｖｔｈを使用する構成においても、上記した電流しきい値Ｉｔｈを使用する構成と同様にして、ホットスイッチングを回避しつつ、信号切替器４を構成するスイッチ素子２１，２２，２３に対するオン・オフ制御を複数回実行する際の時間（総時間）を十分に短縮することができ、その結果として、すべての抵抗１１の抵抗値Ｒを算出するまでに要する時間を一層短縮することができる。
【００６５】
また、上記の例では、処理部９が、測定用電流Ｉの電流値Ｉ１を算出しつつ、算出した電流値Ｉ１と電流しきい値Ｉｔｈと比較する処理を実行して、算出した電流値Ｉ１が電流しきい値Ｉｔｈ以下になるタイミング（信号切替器４に対する切替処理を実行するタイミング）を検出したり、両端間電圧Ｖの電圧値Ｖ１を算出しつつ、算出した電圧値Ｖ１と電圧しきい値Ｖｔｈと比較する処理を実行して、算出した電圧値Ｖ１が電圧しきい値Ｖｔｈ以下になるタイミング（信号切替器４に対する切替処理を実行するタイミング）を検出したりする構成を採用しているが、従来のようにして、電源部５に対して測定用電流Ｉの出力を停止させた後に信号切替器４に対する切替処理を実行するまでの待ち時間を、電源部５に対して測定用電流Ｉの出力を停止させた後の測定用電流Ｉの電流値Ｉ１が電流しきい値Ｉｔｈまで低下するに要する時間ｔａ１，ｔａ２，ｔａ３のうちの最も長い時間（上記の例では時間ｔａ１）よりも若干長い時間に一律に規定するという構成を採用することもできる。
【００６６】
この構成を採用したとしても、第１端子２４ａ，２４ｂ間へのサージ吸収素子８ａの接続により、測定用電流Ｉを停止させた時点から、測定用電流Ｉの電流値Ｉ１が電流しきい値Ｉｔｈ以下に低下するまでに要する時間が大幅に短縮されているため、電源部５に対して測定用電流Ｉの出力を停止させた後に信号切替器４に対する切替処理を実行するまでの待ち時間をより短縮することができ、これによって信号切替器４を構成するスイッチ素子２１，２２，２３に対するオン・オフ制御を複数回実行する際の時間（総時間）を充分に短縮することができる結果、すべての抵抗１１の抵抗値Ｒを算出するまでに要する時間を充分に短縮することができる。
【００６７】
また、上記の例では、電源部５の一対の出力端子５ａ，５ｂに接続される（出力端子５ａは直接接続され、また出力端子５ｂは電流検出部６を介して接続される）信号切替器４の第１端子２４ａ，２４ｂ間にサージ吸収回路８を接続する構成を採用しているが、上記したように、抵抗１１に対する測定処理の実行時には、第１端子２４ａ，２４ｂに、信号切替器４内のスイッチ素子２１〜２３のうちのオン状態のスイッチ素子、電流供給プローブ２および電圧検出プローブ３を介して第２端子２５ａ，２５ｂが接続されている。したがって、第１端子２４ａ，２４ｂ間に代えて、第２端子２５ａ，２５ｂ間にサージ吸収回路８を接続する構成を採用することもできる。また、第１端子２４ａ，２４ｂ間および第２端子２５ａ，２５ｂ間の双方にサージ吸収回路８をそれぞれ接続する構成を採用することもできる。
【００６８】
また、上記の例では、電源部５における低電位側（測定用電流Ｉの入力（リターン）側）の出力端子５ｂに電流検出部６を接続する構成を採用しているが、電源部５における測定用電流Ｉの高電位側（測定用電流Ｉの出力側）の出力端子５ａと信号切替器４の第１端子２４ａとの間に電流検出部６を接続する構成を採用することもできる。
【００６９】
また、上記の例では、４端子法によって抵抗１１の抵抗値Ｒを測定する構成を採用しているが、サージ吸収回路８を使用する上記の構成は、２端子法によって抵抗１１の抵抗値Ｒを測定する構成にも適用することができるのは勿論である。この構成では、電源部５および電圧測定部７は、信号切替器４に設けられた一対の端子にそれぞれ接続される構成となるため、この一対の端子間にサージ吸収回路８を接続して構成する。また、サージ吸収回路８を使用する上記の構成は、信号切替器４を有して、複数の測定対象の物理量として抵抗値を連続して測定する測定装置だけでなく、信号切替器４を有して、複数の測定対象の他の物理量（インダクタンスやキャパシタンスなど）を連続して測定する測定装置にも適用できるのは勿論である。
【符号の説明】
【００７０】
１  測定装置
４  信号切替器
５  電源部
６  電流検出部
７  電圧測定部
８  サージ吸収回路
８ａ  サージ吸収素子
８ｂ  接断スイッチ
９  処理部
１１ａ，１１ｂ，１１ｃ  抵抗
２１，２２，２３  スイッチ素子
２４ａ，２４ｂ  第１端子
２５ａ，２５ｂ  第２端子
Ｉ  測定用電流
Ｖ  両端間電圧
【図１】
2015055551.tif 000003
【図２】
2015055551.tif 000004